(57)【特許請求の範囲】
【請求項１】
救急車の処置室内の側壁面下部であって、バックドアに近接して配置され、搬送用資器材を収納可能とする画成された収納空間を有する搬送用資器材収納装置において、
前記搬送用資器材収納装置には、
前記搬送用資器材を前記バックドア開放時、その後方から出し入れ可能とするための開放端部と、
前記収納空間に収納可能であって、処置室内で搬送用資器材を出し入れするための開閉を可能とする正面扉部と、
を有し、
前記処置室内からは前記正面扉部から、処置室外からは前記開放端部から前記搬送用資器材を出し入れ可能とすることを特徴とする搬送用資器材収納装置。
【請求項２】
救急車の処置室内の側壁面下部であって、バックドアに近接して配置され、搬送用資器材を収納可能とする画成された収納空間を有する搬送用資器材収納装置において、
前記搬送用資器材収納装置には、
前記搬送用資器材を前記バックドア開放時、その後方から出し入れ可能とするための開放端部と、
前記収納空間に収納可能であって、処置室内で搬送用資器材を出し入れするための開閉を可能とする正面扉部と、
を有し、
前記正面扉部の開放時に、斜め上方へ引き出して取り出すと共に、斜め下方に押し込んで収納することにより搬送用資器材を出し入れ可能とし、
前記正面扉部と前記開放端部とにより、前記収納空間内に、複数の搬送用資器材を収納可能とすることを特徴とする搬送用資器材収納装置。
【請求項３】
前記収納空間内に配設され、前記正面扉部と共に協働する様に該収納空間を仕切る
仕切部材を有し、
前記仕切部材により収容空間を仕切ることにより複数の搬送用資器材を同一場所に収納可能とすることを特徴とする請求項１又は２に記載の搬送用資器材収納装置。
【請求項４】
前記収納空間内に配設され、該収納空間を仕切る仕切部材と、
前記正面扉部及び前記仕切部材を開閉するために回動自在に支持する支持部材と、
を有し、
前記仕切部材により収容空間を仕切ると共に、前記支持部材により該正面扉部及び該仕切部材を回動自在に開閉することにより複数の搬送用資器材を同一場所に収納可能とすることを特徴とする請求項１又は２に記載の搬送用資器材収納装置。
【発明の詳細な説明】
【技術分野】
【０００１】
本発明は、救急車の処置室内に設置され、スクープストレッチャ、バックボード等の搬送用資器材を収納する搬送用資器材収納装置及びそれを設置した救急車に関する。
【背景技術】
【０００２】
交通事故、急性疾患等が発生した場合には、救急車が緊急出動して現場に向かい、救命隊員等が負傷者、患者等の救命活動を行なう。現場においては、負傷者、患者等を車載用ストレッチャ、スクープストレッチャ、バックボード等の搬送用資器材に載せて救急車まで搬送し、救急車のバックドアから負傷者、患者等を処置室内に搬入する。そして、前記搬送用資器材を処置室内に確実に固定又は収納した後、負傷者、患者等を救命するために緊急処置を施す。
【０００３】
このような救命活動においては、負傷者、患者等を一刻でも速く救急車の処置室内に搬送し、緊急処置を施すことが必要であるが、先ずは、負傷者、患者等を救急車の処置室内に搬入するために、救急車の処置室内から前記搬送用資器材を直ちに取り出し、負傷者、患者等を搬入した後には、前記搬送用資器材を処置室内に直ちに固定又は収納しなければならない。
【０００４】
前記搬送用資器材のうち車載用ストレッチャは、一般的には、負傷者、患者等を車載用ストレッチャに載せた状態で、又は車載用ストレッチャを防振ベッド等に載せた状態で緊急処置を施すので、処置時にも保管時にも、処置室の床面又は側壁面に支持部材を介して固定していた（例えば、特許文献１及び２参照）。
【０００５】
【特許文献１】特表２００１−５２４３５２号公報
【特許文献２】特開２００２−３２０６４３号公報
【０００６】
一方、前記搬送用資器材のうちスクープストレッチャ、バックボード等の補助搬送用資器材は、負傷者、患者等を処置室内に搬入するまで使用し、搬入後は、負傷者、患者等を防振ベッド等に移して緊急処置を施すので、処置時にも保管時にも、邪魔にならないように、処置室の側壁面上部又は下部に当接した状態で収納していた。
【発明の開示】
【発明が解決しようとする課題】
【０００７】
上記のように、スクープストレッチャ、バックボード等の補助搬送用資器材を処置室の側壁面上部に当接した状態で収納する場合には、処置室内で救命隊員が固定部材を取り外して補助搬送用資器材を開放し、その後、バックドアを開放して、補助搬送用資器材を処置室外に取り出さねばならず、補助搬送用資器材を取り出すのに時間がかかった。
又、処置室の側壁面上部に収納するから、補助搬送用資器材を降ろしたり、揚げたりするのに労力を要すると共に、補助搬送用資器材を過って落下させる虞もあって、危険でもあった。
【０００８】
一方、補助搬送用資器材を処置室の側壁面下部に当接した状態で収納する場合には、バックドアを開放し、処置室外から救命隊員が固定部材を取り外せば、補助搬送用資器材を後部ドアから取り出すことができるが、車載用ストレッチャが処置室内にある場合には、
固定部材を取り外し難く、やはり、補助搬送用資器材を取り出すのに時間がかかった。
又、車載用ストレッチャが処置室内にある場合には、固定部材を取り付け難く、補助搬送用資器材を収納するのにも時間がかかると共に、車載用ストレッチャの部品等が接触する虞もあって、危険でもあった。
【０００９】
又、スクープストレッチャ及びバックボードというように、補助搬送用資器材を複数積載する場合には、一方は、処置室の側壁面上部に当接した状態で収納し、他方は、処置室の側壁面下部に当接した状態で収納する必要があり、前記何れの問題をも有すると共に、複数の補助搬送用資器材の取り扱いが極めて煩雑となった。
【００１０】  本発明は、かかる従来の問題点に鑑みて為されたものであって、その目的とするところは、処置室内の収納装置において、搬送用資器材を取り出したり、収納したりするのに時間がかからず、搬送用資器材を取り扱うのにそれ程労力を要さないと共に、搬送用資器材を複数積載する場合、その出し入れの取り扱いが容易である搬送用資器材収納装置を提供することにある。
【課題を解決するための手段】
【００１１】  上記目的を達成するために、本願発明は、救急車の処置室内の側壁面下部であって、バックドアに近接して配置され、搬送用資器材を収納可能とする画成された収納空間を有する搬送用資器材収納装置において、  搬送用資器材を前記バックドア開放時、その後方から出し入れ可能とするための開放端部と、前記収納空間に収納可能であって、処置室内で搬送用資器材を出し入れするための開閉を可能とする正面扉部と、を有し、前記処置室内からは前記正面扉部から、処置室外からは前記開放端部から前記搬送用資器材を出し入れ可能とすることを特徴とする搬送用資器材収納装置である。【００１２】また、本願発明は、前記正面扉部の開放時に、斜め上方へ引き出して取り出すと共に、斜め下方に押し込んで収納することにより搬送資器材を出し入れ可能とし、前記正面扉部と前記開放端部とにより、前記収納空間内に、複数の搬送用資器材を収納可能とすることを特徴とする搬送用資器材収納装置である。【００１３】更に、前記収納空間内に配設され、前記正面扉部と共に協働する様に該収納空間を仕切る仕切部材を有し、前記仕切部材により収容空間を仕切ることにより複数の搬送用資器材を同一場所に収納可能とすることを特徴とする搬送用資器材収納装置である。【００１４】前記収納空間内に配設され、該収納空間を仕切る仕切部材と、前記正面扉部及び前記仕切部材を開閉するために回動自在に支持する支持部材と、を有し、前記仕切部材により収容空間を仕切ると共に、前記支持部材により該正面扉部及び該仕切部材を回動自在に開閉することにより複数の搬送用資器材を同一場所に収納可能とすることを特徴とする搬送用資器材収納装置である。
【発明を実施するための最良の形態】
【００１５】
以下、本発明の搬送用資器材収納装置及びそれを設置した救急車の好適な実施形態について、図面を参照して説明する。
【００１６】
本発明の救急車１は、図１に示すように、前側部両側に前後方向に回動するフロントドア２，２、中間部左側に前後方向に滑動するスライドドア３、後端部に上下方向に回動するバックドア４を配設してある。
【００１７】
救急車１は、図２に示すように、車内の前側部に運転室５、後側部に処置室６を画成してあり、処置室６内の左側には、前向座席７及び横向座席８を配置し、処置室６内の右側には、各種資器材の収納装置を配置してある。
【００１８】
本発明の搬送用資器材収納装置２１は、図２に示すように、処置室６内の右側壁面下部に、後端をバックドア４に近接して配置してある。
【００１９】
搬送用資器材収納装置２１は、図２乃至４に示すように、上面壁部２２、下面壁部２３、前面壁部２４、背面壁部２５及び正面扉部２６から構成し、後側は区画壁部を形成せず、開放端部２７としてある。
【００２０】
下面壁部２３は、図４に示すように、段差を形成してあり、正面扉部２６側を低く、背面壁部２５側を高くしてある。
【００２１】
正面扉部２６は、図３及び４に示すように、表側面の前後上側部に把持部２８，２８を形成してある。
又、図４に示すように、下端部を下面壁部２３に支持部材２９，２９を介して回動自在に支持すると共に、上端部を上面壁部２２に係止部材３０，３０を介して係止自在としてある。
【００２２】
搬送用資器材収納装置２１には、上面壁部２２、下面壁部２３、前面壁部２４、背面壁部２５及び正面扉部２６から画成される収納空間３１を仕切る仕切壁部３２をも配設してある。
仕切壁部３２は、図４に示すように、下端部を下面壁部２３に支持部材３３，３３を介して回動自在に支持してある。
【００２３】
前記正面扉部２６と前記仕切壁部３２とは、図４に示すように、両側面に配設した連結部材３４，３４を介して連結してある。
連結部材３４は、略Ｌ型形状を呈し、その下端部は正面扉部２６の側面中間部に、その上端部は仕切壁部３２の側面上端部に軸支してある。
【００２４】
次に、本発明の搬送用資器材収納装置２１及びそれを設置した救急車１の使用方法について、作用、効果と共に説明する。
【００２５】
交通事故、急性疾患等が発生して、救急車１が緊急出動して現場に到着すると、救命隊員等は救急車１外に出て、バックドア４を上方に回動して開放する。
そして、搬送用資器材収納装置２１の開放端部２７に配設されたストッパを解除し、図５に示すスクープストレッチャ４１及び図６に示すバックボード４２という搬送用資器材を、図７に示すように、開放端部２７から後方に、すなわち矢印Ａ方向に引き出し、バックドア４から車外に取り出す。
【００２６】
救命隊員等の人数に余裕がある場合には、処置室６内にいる救命隊員が搬送用資器材収納装置２１の正面扉部２６の把持部２８，２８を把持し、係止状態を解除し、正面扉部２６を前方に回動する。
すると、図８に示すように、正面扉部２６及び仕切壁部３２とは、その間隔を増大させて傾斜状態となる。そこで、処置室６内にいる救命隊員は、図８に示すように、斜め上方に、すなわち矢印Ｂ方向に引き出し、処置室６外にいる救命隊員と協同してバックドア４から車外に取り出す。
【００２７】
救命隊員等は、負傷者、患者等をスクープストレッチャ４１、バックボード４２に載せて救急車１まで搬送し、救急車１のバックドア４から負傷者、患者等を処置室６内に搬入する。
そして、処置室６内にいる救命隊員は、搬送用資器材が邪魔にならないよう、上記のようにして、搬送用資器材収納装置２１の正面扉部２６を前方に回動し、正面扉部２６及び仕切壁部３２を傾斜状態とし、搬送用資器材を斜め下方に押し込み、搬送用資器材収納装置２１内に収納する。
【００２８】
上記のように、本発明の搬送用資器材収納装置２１は、処置室６内の右側壁面下部に、後端をバックドア４に近接して配置すると共に、後側は区画壁部を形成せず、開放端部２７としてあるから、救命隊員がバックドア４を開放すれば、搬送用資器材を開放端部２７から後方に引き出して、迅速にバックドア４から車外に取り出すことができる。
【００２９】
又、本発明の搬送用資器材収納装置２１は、固定部材を必要とせず、搬送用資器材収納装置２１の正面扉部２６を解放し、正面扉部２６及び仕切壁部３２を傾斜状態とするだけであるから、搬送用資器材を斜め下方に押し込めば、迅速に搬送用資器材を搬送用資器材収納装置２１内に収納することができる。
【００３０】
さらに、搬送用資器材収納装置２１は、処置室６内の右側壁面下部に配置され、上面壁部２２、下面壁部２３、前面壁部２４、背面壁部２５及び正面扉部２６から画成される収納空間３１内に搬送用資器材を収納するものであるから、搬送用資器材を降ろしたり、揚げたりする労力を要せず、搬送用資器材を過って落下させる虞もなく、車載用ストレッチャの部品等が接触する虞もなく、極めて安全である。
【００３１】
本発明の搬送用資器材収納装置２１は、又、収納空間３１を仕切る仕切壁部３２をも配設し、仕切壁部３２を回動自在としてあるから、スクープストレッチャ及びバックボードというように、搬送用資器材を複数積載する場合にも、それらを同一場所に収納することができるから、複数の搬送用資器材の取り扱いが極めて容易である。
【００３２】  さらに、正面扉部２６及び仕切壁部３２は、正面扉部２６の開放時には、その間隔を増大させて傾斜状態となるようにしてあるから、搬送用資器材の搬出、収納作業がやりやすく、便利である。【００３３】
そして、正面扉部２６の閉鎖時には、正面扉部２６と仕切壁部３２との間隔は減少し、
正面扉部２６及び仕切壁部３２によって搬送用資器材を押圧するから、搬送用資器材はガタツクことなく確実に収納される。
【００３４】
尚、上記実施例においては、救急車１の中間部左側にスライドドア３を配設したので、搬送用資器材収納装置２１を右側面下部に配置したが、中間部右側にスライドドア３を配設した場合等にあっては、左側面下部に配置することができる。
【図面の簡単な説明】
【００３５】
【図１】本発明の救急車の外観斜視図である。
【図２】本発明の救急車の内部透視図である。
【図３】本発明の搬送用資器材収納装置の正面図である。
【図４】本発明の搬送用資器材収納装置の後側側面図である。
【図５】スクープストレッチャの（Ａ）は正面図、（Ｂ）は側面図である。
【図６】バックボードの（Ａ）は正面図、（Ｂ）は側面図である。
【図７】本発明の搬送用資器材収納装置に搬送用資器材を収納した状態を示す正面図である。
【図８】本発明の搬送用資器材収納装置に搬送用資器材を収納した状態を示す後側側面図である。
【符号の説明】
【００３６】
１  救急車
４  バックドア
６  処置室
２１  搬送用資器材収納装置
２２  上面壁部
２３  下面壁部
２４  前面壁部
２５  背面壁部
２６  正面扉部
２７  開放端部
３１  収納空間
３２  仕切壁部
【図１】
0005000878.tif 000002
【図２】
0005000878.tif 000003
【図３】
0005000878.tif 000004
【図４】
0005000878.tif 000005
【図５】
0005000878.tif 000006
【図６】
0005000878.tif 000007
【図７】
0005000878.tif 000008
【図８】
0005000878.tif 000009